(57)【要約】【課題】簡易な構造のスイッチを用いて、浸水時に閉動作を確実に防ぐことが可能なパワーウインドウ装置を提供する。【解決手段】パワーウインドウ装置１００は、閉操作スイッチ１と、開操作スイッチ２と、一対の浸水検出電極３ａからなる浸水センサ３と、閉操作スイッチ１及び開操作スイッチ２の一方の端子にそれぞれ接続される接続端子１１，１２と、接地端子１４と、電源端子１３とを有するスイッチ部１０と、閉操作スイッチ１及び開操作スイッチ２の状態を検出してモータ２３を駆動し、窓を上昇または下降させる制御手段を備えたＥＣＵ部２０と、を備え、閉操作スイッチ１の他端と電源端子１３との間には、浸水センサ３が浸水を検出した場合にオフ状態となる第１のスイッチ素子４が接続され、閉操作スイッチ１の一方の端子と接地端子１４との間には、浸水センサ３が浸水を検出した場合にオン状態となる第２のスイッチ素子５が接続される。【選択図】図２
2015067059.tif 000002
【特許請求の範囲】
【請求項１】
窓の閉操作を行うための閉操作スイッチと、前記窓の開操作を行うための開操作スイッチと、一対の浸水検出電極からなる浸水センサと、前記開操作スイッチ及び前記閉操作スイッチの一方の端子にそれぞれ接続される接続端子と、接地される接地端子と、電源に接続される電源端子とを有するスイッチ部と、
前記接続端子に出力される電圧に基づいて前記閉操作スイッチ及び前記開操作スイッチの状態を検出し、前記接続端子から出力される電圧が電源電圧の場合にモータを駆動して窓を上昇または下降させる制御手段を備えたＥＣＵ部と、を備えたパワーウインドウ装置であって、
前記閉操作スイッチの他方の端子と前記電源端子との間には、前記浸水センサが浸水を検出した場合にオフ状態となる第１のスイッチ素子が接続されると共に、前記閉操作スイッチの一方の端子と前記接地端子との間には、前記浸水センサが浸水を検出した場合にオン状態となる第２のスイッチ素子が接続されることを特徴とするパワーウインドウ装置。
【請求項２】
前記第１のスイッチ素子はPNP型の第１のトランジスタで、前記第２のスイッチ素子はNPN型の第２のトランジスタで、前記第１のトランジスタと前記第２のトランジスタはそれぞれベースとエミッタとコレクタを備え、
前記第１のトランジスタは、エミッタが前記電源端子と接続され、コレクタが前記閉操作スイッチの他方の端子と接続され、ベースが第１の抵抗を介して前記浸水センサの一方の浸水検出電極に接続され、
前記第２のトランジスタは、エミッタが前記接地端子と接続され、コレクタが前記閉操作スイッチの一方の端子と接続され、ベースが第２の抵抗を介して前記浸水センサの一方の浸水検出電極に接続され、
前記浸水センサの他方の浸水検出電極は前記電源端子に接続されていることを特徴とする請求項１に記載のパワーウインドウ装置。
【請求項３】
前記浸水センサの一方の浸水検出電極と前記接地端子との間に第３の抵抗が接続されていることを特徴とする請求項２に記載のパワーウインドウ装置。
【発明の詳細な説明】
【技術分野】
【０００１】
本発明は、パワーウインドウ装置に関し、特に、浸水したときに窓を開くことを可能にしたパワーウインドウ装置に関する。
【背景技術】
【０００２】
従来から、車両には、ドアのウインドウを自動的に開閉させるパワーウインドウ装置が搭載されている。搭乗者がパワーウインドウ装置の開閉操作に使用されるスイッチモジュールの操作スイッチを操作することにより、ウインドウガラスが開くまたは閉じるように駆動される。
【０００３】
また、車両内に人を残したまま車両が水没したような場合に搭乗者が内部に閉じ込められるのを防止するために、浸水時にもパワーウインドウ装置が正常に動作するように対策を施した水没対策回路も付加したスイッチモジュールを備えたパワーウインドウ装置が提案されている。
【０００４】
特許文献１（従来例１）に記載されているパワーウインドウ装置９００では、図５に示すように、モータＥＣＵ部９１２は、入力信号Ｖ１，Ｖ２の電圧値に基づいてローアクティブでモータＭを作動させるマイコン９２２を備える。スイッチ部９１１は、トランスファ接点型スイッチで構成される操作スイッチ９１０を備える。操作スイッチ９１０が操作されないとき、ＤＮ端子９１６及びＵＰ端子９１９はＢ端子９１７に接続される。Ｂ端子９１７には電源Ｖｏが接続されている。このため、浸水時においても、操作スイッチ９１０を操作しない場合には、ＤＮ端子９１６及びＵＰ端子９１９の電圧値はハイレベル（電源Ｖｏレベル）に保持される。従って、マイコン９２２はモータＭを作動させないため、パワーウインドウ装置９００が水没等しても、操作者の意図に反してウインドウガラスが上昇または下降されることを防止することができる。
【先行技術文献】
【特許文献】
【０００５】
【特許文献１】特開２００４‐３３９７０８号公報
【発明の概要】
【発明が解決しようとする課題】
【０００６】
しかしながら、上述した従来例では、操作スイッチがトランスファ接点型スイッチで構成されているため、スイッチの構造が複雑になってしまうという課題があった。
【０００７】
本発明は、上述した課題を解決するもので、簡易な構造のスイッチを用いて、浸水時に閉動作を確実に防ぐことが可能なパワーウインドウ装置を提供することを目的とする。
【課題を解決するための手段】
【０００８】
この課題を解決するために、本発明のパワーウインドウ装置は、窓の閉操作を行うための閉操作スイッチと、前記窓の開操作を行うための開操作スイッチと、一対の浸水検出電極からなる浸水センサと、前記開操作スイッチ及び前記閉操作スイッチの一方の端子にそれぞれ接続される接続端子と、接地される接地端子と、電源に接続される電源端子とを有するスイッチ部と、前記接続端子に出力される電圧に基づいて前記閉操作スイッチ及び前記開操作スイッチの状態を検出し、前記接続端子から出力される電圧が電源電圧の場合にモータを駆動して窓を上昇または下降させる制御手段を備えたＥＣＵ部と、を備えたパワーウインドウ装置であって、前記閉操作スイッチの他方の端子と前記電源端子との間には、前記浸水センサが浸水を検出した場合にオフ状態となる第１のスイッチ素子が接続されると共に、前記閉操作スイッチの一方の端子と前記接地端子との間には、前記浸水センサが浸水を検出した場合にオン状態となる第２のスイッチ素子が接続されることを特徴とする。
【０００９】
これによれば、浸水センサが浸水を検出した場合、閉操作スイッチの他方の端子と電源端子との間に接続された第１のスイッチ素子がオフ状態となり、一方の端子と前記接地端子との間に接続された第２のスイッチ素子がオン状態となる。このため、閉操作スイッチの一方の端子に接続された接続端子の電位を確実に接地電位に固定できるので、浸水時に閉操作スイッチへの浸水が発生することによって閉動作するのを確実に防ぐことができる。従ってトランスファ接点型スイッチを使用することなく、簡易な構造のスイッチを用いて、浸水時の閉動作を確実に防ぐことが可能なパワーウインドウ装置を提供することができる。
【００１０】
また、本発明のパワーウインドウ装置は、前記第１のスイッチ素子はＰＮＰ型の第１のトランジスタで、前記第２のスイッチ素子はＮＰＮ型の第２のトランジスタで、前記第１のトランジスタと前記第２のトランジスタはそれぞれベースとエミッタとコレクタを備え、前記第１のトランジスタは、エミッタが前記電源端子と接続され、コレクタが前記閉操作スイッチの他方の端子と接続され、ベースが第１の抵抗を介して前記浸水センサの一方の浸水検出電極に接続され、前記第２のトランジスタは、エミッタが前記接地端子と接続され、コレクタが前記閉操作スイッチの一方の端子と接続され、ベースが第２の抵抗を介して前記浸水センサの一方の浸水検出電極に接続され、前記浸水センサの他方の浸水検出電極は前記電源端子に接続されていることを特徴とする。
【００１１】
これによれば、２つのトランジスタによる簡単な回路で、浸水を検出した場合に閉動作を確実に防ぐことができる。
【００１２】
また、本発明のパワーウインドウ装置は、前記浸水センサの一方の浸水検出電極と前記接地端子との間に第３の抵抗が接続されていることを特徴とする。
【００１３】
これによれば、第３の抵抗の値を選択するによって、第１のトランジスタ及び第２のトランジスタの動作点を簡単に設定することができるので、想定される浸水状態の場合に閉動作を防ぐように動作点を設定することができる。
【発明の効果】
【００１４】
本発明によれば、簡易な構造のスイッチを用いて、浸水時に閉動作を確実に防ぐことが可能なパワーウインドウ装置を提供することができる。
【図面の簡単な説明】
【００１５】
【図１】本発明の実施形態に係るパワーウインドウ装置ブロック図である。
【図２】本実施形態パワーウインドウ装置のスイッチ部を説明する配線図である。
【図３】通常状態のパワーウインドウ装置の動作を説明する図である。
【図４】浸水状態のパワーウインドウ装置の動作を説明する図である。
【図５】従来技術のパワーウインドウ装置を示す図である。
【発明を実施するための形態】
【００１６】
［第１実施形態］
以下に第１実施形態におけるパワーウインドウ装置１００について説明する。
【００１７】
まず始めに本実施形態におけるパワーウインドウ装置１００の構成について図１を用いて説明する。図１はパワーウインドウ装置１００の構成を示すブロック図である。
【００１８】
パワーウインドウ装置１００は、図１に示すように、スイッチ部１０と、ＥＣＵ部２０と、を備えている。スイッチ部１０とＥＣＵ部２０とは、図示しないコネクタを介してワイヤハーネス３０により接続されている。
【００１９】
スイッチ部１０は図１に示すように、閉操作スイッチ１と、開操作スイッチ２と、浸水センサ３と、接続端子１１，１２と、電源端子１３と、接地端子１４と、を有している。
【００２０】
ＥＣＵ部２０は図１に示すように、制御部２１と、駆動部２２と、モータ２３と、ＥＣＵ接続端子２４，２５と、ＥＣＵ電源端子２６と、ＥＣＵ接地端子２７と、を有している。制御部２１と駆動部２２とでモータ２３を駆動して窓を上昇または下降させる制御手段を構成している。
【００２１】
閉操作スイッチ１と開操作スイッチ２は、それぞれ一対の端子を有している。閉操作スイッチ１は窓の閉操作を行うために操作され、開操作スイッチ２は窓の開操作を行うために操作される。閉操作スイッチ１の一方の端子には接続端子１１が、また、開操作スイッチ２の一方の端子には接続端子１２がそれぞれ接続されている。
【００２２】
電源端子１３は電源ＶＢに接続されており、接地端子１４は接地されている。
【００２３】
制御部２１は、スイッチ部１０に設けられた接続端子１１または接続端子１２から出力される電圧に基づいて閉操作スイッチ１及び開操作スイッチ２の状態を検出する。具体的には、接続端子１１から出力される電圧が、電源電圧が入力されたと判断する閾値より高い電圧の場合に閉操作スイッチ１が操作されていると判断し、モータ２３を駆動して窓を上昇させるように駆動部２２を制御する。また、接続端子１２から出力される電圧が、電源電圧が入力されたと判断する閾値より高い電圧の場合に開操作スイッチ２が操作されていると判断し、モータ２３を駆動して窓を下降させるように駆動部２２を制御する。閾値は電源ＶＢの電圧（１２Ｖ）と接地電位（０Ｖ）の間で適宜決定されている。制御部２１に接続されているＥＣＵ接続端子２４，２５とＥＣＵ接地端子２７の間には図示しない概ね１０ｋΩ以上の抵抗値のプルダウン抵抗が接続されており、接続端子１１または接続端子１２が開放された場合、制御部２１には接地電位（０Ｖ）が入力される。
【００２４】
ＥＣＵ電源端子２６は電源ＶＢに接続されており、ＥＣＵ接地端子２７は接地されている。
【００２５】
次に、スイッチ部１０について図２を用いて説明する。図２はスイッチ部１０の回路構成を示す配線図である。
【００２６】
スイッチ部１０は先に記したように、閉操作スイッチ１と、開操作スイッチ２と、浸水センサ３と、接続端子１１，１２と、電源端子１３と、接地端子１４と、を有している。スイッチ部１０は更に、第１のスイッチ素子４として機能する第１のトランジスタＴＲ１と、第２のスイッチ素子５として機能する第２のトランジスタＴＲ２と、第１の抵抗Ｒ１と、第２の抵抗Ｒ２と、第３の抵抗Ｒ３と、を有している。第１のトランジスタＴＲ１と、第２のトランジスタＴＲ２はそれぞれベースとエミッタとコレクタを備えている。
【００２７】
浸水センサ３は、図２に示すように一対の浸水検出電極３ａによって構成されており、一方の浸水検出電極３ａには第１の抵抗Ｒ１が接続され、他方の浸水検出電極３ａは電源端子１３に接続されている。また、浸水センサ３の一方の浸水検出電極３ａと接地端子１４との間には第３の抵抗Ｒ３が接続されている。
【００２８】
閉操作スイッチ１は図２に示すように、メーク接点型のスイッチであり、非操作時は閉操作スイッチ１の両端は非導通状態であり、操作によって接点が閉じることで、両端が導通する。閉操作スイッチ１の他方の端子には、第１のスイッチ素子４としてＰＮＰ型の第１のトランジスタＴＲ１のコレクタが接続されている。また、第１のトランジスタＴＲ１のエミッタが電源端子１３と接続されている。従って、閉操作スイッチ１の他方の端子と電源端子１３との間に、第１のスイッチ素子４である第１のトランジスタＴＲ１が接続されている。第１のトランジスタＴＲ１のベースは、第１の抵抗Ｒ１を介して浸水センサ３の一方の浸水検出電極３ａと接続されている。また、閉操作スイッチ１の一方の端子には、第２のスイッチ素子５としてＮＰＮ型の第２のトランジスタＴＲ２のコレクタが接続されている。また、第２のトランジスタＴＲ２のエミッタが接地端子１４接続されている。従って、閉操作スイッチ１の一方の端子と、接地端子１４との間に第２のスイッチ素子５である第２のトランジスタＴＲ２が接続されている。第２のトランジスタＴＲ２のベースは、第２の抵抗Ｒ２を介して浸水センサ３の一方の浸水検出電極３ａと接続されている。第１のトランジスタＴＲ１と第２のトランジスタＴＲ２は、それぞれそのベースとエミッタを抵抗（Ｒ４、Ｒ５）で接続され、それぞれのトランジスタが適切に動作するようにそれぞれの抵抗値が決定されている。
【００２９】
開操作スイッチ２は図２に示すように、メーク接点型のスイッチであり、非操作時は開操作スイッチ２の両端は非導通状態であり、操作によって接点が閉じることで、両端が導通する。開操作スイッチ２の他方の端子は、電源端子１３に接続されている。
【００３０】
次に、パワーウインドウ装置１００の動作について図１ないし図４を用いて説明する。図３は、正常状態でのパワーウインドウ装置１００の動作を説明する図で、図３（ａ）は閉動作を説明する図であり、図３（ｂ）は開動作を説明する図である。図４は、浸水時のパワーウインドウ装置１００の動作を説明する図で、図４（ａ）は閉動作を説明する図であり、図４（ｂ）は開動作を説明する図である。
【００３１】
最初に、パワーウインドウ装置１００を備えた車両が正常な状態で使用されている場合の動作について図１ないし図３を用いて説明する。
【００３２】
車両が正常な状態で使用されている場合、浸水センサ３の一対の浸水検出電極３ａの間に水などが付着していないため電極間の電気抵抗値が非常に大きくなっている。第１の抵抗Ｒ１が接続されている一方の浸水検出電極３ａは第３の抵抗Ｒ３及び第２の抵抗Ｒ２と抵抗Ｒ５を介して接地端子１４に接続されているため、第１のトランジスタＴＲ１には、第１の抵抗Ｒ１と第３の抵抗Ｒ３を介してベース電流が流れる。このため第１のトランジスタＴＲ１はオン状態（ＯＮ）となっており、閉操作スイッチ１の他方の端子には電源ＶＢと同じ電圧が加わる。また、第２のトランジスタＴＲ２にはベース電流が流れないため、第２のトランジスタＴＲ２はオフ状態（ＯＦＦ）になっている。
【００３３】
閉操作スイッチ１及び開操作スイッチ２が操作されていない場合、どちらのスイッチともＯＦＦであるため、接続端子１１及び接続端子１２は電源端子１３にも接地端子１４にも接続されず開放状態となる。このため、前述した通り制御部２１には接地電位（０Ｖ）が入力されるので、制御部２１は閉操作スイッチ１と開操作スイッチ２のどちらも操作されていないと判断し、窓はいずれの方向にも駆動されることはない。
【００３４】
閉操作スイッチ１が操作され、閉操作スイッチ１が閉じると、図３（ａ）に示すように接続端子１１には、電源ＶＢとほぼ同じ１２Ｖが出力される。接続端子１１から出力される電圧が電源電圧となるのでＥＣＵ部２０の制御部２１は閉操作スイッチ１が操作されていると判断し、モータ２３を駆動して窓を上昇させるように駆動部２２を制御する。
【００３５】
開操作スイッチ２が開操作され、開操作スイッチ２が閉じると、図３（ｂ）に示すよう接続端子１２には、電源ＶＢと同じ１２Ｖが出力される。接続端子１２から出力される電圧が電源電圧となるのでＥＣＵ部２０の制御部２１は開操作スイッチ２が操作されていると判断し、モータ２３を駆動して窓を下降させるように駆動部２２を制御する。
【００３６】
次に、パワーウインドウ装置１００を備えた車両が水没するなどによって、パワーウインドウ装置１００が浸水している場合の動作について図４を用いて説明する。
【００３７】
パワーウインドウ装置１００が浸水して、浸水センサ３の一対の浸水検出電極３ａの間に水が存在するようになると、浸水検出電極３ａの間の電気抵抗値が減少する。このことによってバッテリ電源から一対の浸水検出電極３ａを介して第３の抵抗Ｒ３に電圧が印加され、第３の抵抗Ｒ３に電流が流れることになる。このため、第１の抵抗Ｒ１が接続されている一方の浸水検出電極３ａの電位が上昇して第１のトランジスタＴＲ１のベース電流が流れなくなり、第１のトランジスタＴＲ１はオフ状態（ＯＦＦ）となる。
【００３８】
同様に、浸水センサ３の一方の浸水検出電極３ａの電位が上昇するため、第２の抵抗Ｒ２と抵抗Ｒ５及び、第２の抵抗Ｒ２を介して第２のトランジスタＴＲ２のベースにも電流が流れるようになる。このため第２のトランジスタＴＲ２のベースに電流が流れ、図４に示すように第２のトランジスタＴＲ２がオン状態（ＯＮ）となるので、そのコレクタ電圧が接地電位（０Ｖ）となる。
【００３９】
浸水センサ３の一方の浸水検出電極３ａの電位は、水による浸水検出電極３ａ間の電気抵抗値と第３の抵抗Ｒ３の抵抗値によって電源ＶＢの電圧（１２Ｖ）が分圧することで決定される。このため、第３の抵抗Ｒ３の抵抗値を選択することで、浸水センサ３の一対の浸水検出電極３ａの間に水が存在する場合の第１のトランジスタＴＲ１がオフ状態となる動作点と、第２のトランジスタＴＲ２がオン状態となる動作点を簡単に設定することができる。
【００４０】
このように、第１のスイッチ素子４である第１のトランジスタＴＲ１は、浸水センサ３が浸水を検出した場合にオフ状態となり、第２のスイッチ素子５である第２のトランジスタＴＲ２は、浸水センサ３が浸水を検出した場合にオン状態となるように動作する。このため、接続端子１１には、閉操作スイッチ１に対する操作の有に関わらず接地電位（０Ｖ）が出力されることとなる。
【００４１】
閉操作スイッチ１及び開操作スイッチ２が操作されていない場合、接続端子１１には接地電位（０Ｖ）が出力されているので、制御部２１は閉操作スイッチ１が操作されたと判断することはなく、窓を上昇させるように制御されることはない。
【００４２】
開操作スイッチ２の両端に浸水による水分によって電気抵抗値が減少すると、減少した電気抵抗によって、接続端子１２には電源ＶＢの電圧（１２Ｖ）と接地電位（０Ｖ）との中間の電位が出力される。水分による電気抵抗が比較的大きく、接続端子１２に表れる電圧が、制御部２１に電源電圧が入力されたと判断する閾値より低い場合には、制御部２１は開操作スイッチ２が操作されていないと判断し、窓はいずれの方向にも駆動されることはない。水分による電気抵抗が比較的小さく、接続端子１２に表れる電圧が、制御部２１が電源電圧が入力されたと判断する閾値より高くなった場合には、制御部２１は開操作スイッチ２が操作された判断し、窓を下降させる方向に駆動する。このため窓は自動的に開くように動作する。
【００４３】
閉操作スイッチ１が閉操作された場合でも、接続端子１１には接地電位（０Ｖ）が出力されているので、制御部２１によって閉操作スイッチ１が操作されたと判断されることはなく、窓を上昇させるように制御されることはない。
【００４４】
開操作スイッチ２が開操作された場合、開操作スイッチ２が閉じると、図４（ｂ）に示すよう接続端子１２には、電源ＶＢと同じ１２Ｖが出力される。接続端子１２から出力される電圧が電源電圧となるのでＥＣＵ部２０の制御部２１は開操作スイッチ２が操作されていると判断し、モータ２３を駆動して窓を下降させるように駆動部２２を制御する。この場合、浸水による水分によって開操作スイッチ２の両端に生じる電気抵抗は開操作スイッチ２オンとなることで短絡されるので、水分によって生じる電気抵抗が開操作に影響を与えることはない。
【００４５】
このように、浸水センサ３が浸水を検出した場合に、閉操作スイッチ１を無効にすることで、浸水時に確実にウインドウが閉じることを防ぐことができる。このためトランスファ接点型スイッチを用いることなく、簡易な構造のメーク接点型のスイッチを用いて浸水時の閉動作を確実に防ぐことが可能なパワーウインドウ装置を提供することができる。
【００４６】
以下、本実施形態としたことによる効果について説明する。
【００４７】
本実施形態のパワーウインドウ装置１００では、窓の閉操作を行うための閉操作スイッチ１と、窓の開操作を行うための開操作スイッチ２と、一対の浸水検出電極３ａからなる浸水センサ３と、閉操作スイッチ１及び開操作スイッチ２の一方の端子にそれぞれ接続される接続端子１１，１２と、接地される接地端子１４と、電源ＶＢに接続される電源端子１３とを有するスイッチ部１０と、接続端子１１，１２に出力される電圧に基づいて閉操作スイッチ１及び開操作スイッチ２の状態を検出し、接続端子１１，１２から出力される電圧が電源電圧の場合にモータ２３を駆動して窓を上昇または下降させる制御手段を備えたＥＣＵ部２０と、を備えている。閉操作スイッチ１の他方の端子と電源端子１３との間には、浸水センサ３が浸水を検出した場合にオフ状態となる第１のスイッチ素子４が接続されると共に、閉操作スイッチ１の一方の端子と接地端子１４との間には、浸水センサ３が浸水を検出した場合にオン状態となる第２のスイッチ素子５が接続されるように構成した。
【００４８】
これにより、浸水センサ３が浸水を検出した場合、閉操作スイッチ１の他方の端子と電源端子１３との間に接続された第１のスイッチ素子４がオフ状態となり、一方の端子と接地端子１４との間に接続された第２のスイッチ素子５がオン状態となる。このため、閉操作スイッチ１の一方の端子に接続された接続端子１１の電位を確実に接地電位に固定できるので、浸水時に閉操作スイッチ１への浸水が発生することによって閉動作するのを確実に防ぐことができる。従ってトランスファ接点型スイッチを使用することなく、簡易な構造のスイッチを用いて、浸水時の閉動作を確実に防ぐことが可能なパワーウインドウ装置を提供することができる。
【００４９】
また、本実施形態のパワーウインドウ装置１００では、第１のスイッチ素子４はＰＮＰ型の第１のトランジスタＴＲ１で、第２のスイッチ素子５はＮＰＮ型の第２のトランジスタＴＲ２で、第１のトランジスタＴＲ１と第２のトランジスタＴＲ２はそれぞれベースとエミッタとコレクタを備え、第１のトランジスタＴＲ１は、エミッタが電源端子１３と接続され、コレクタが閉操作スイッチ１の他方の端子と接続され、ベースが第１の抵抗Ｒ１を介して浸水センサ３の一方の浸水検出電極３ａに接続され、第２のトランジスタＴＲ２は、エミッタが接地端子１４と接続され、コレクタが閉操作スイッチ１の一方の端子と接続され、ベースが第２の抵抗Ｒ２を介して浸水センサ３の一方の浸水検出電極３ａに接続され、浸水センサ３の他方の浸水検出電極３ａは電源端子１３に接続されるように構成した。
【００５０】
これにより、２つのトランジスタによる簡単な回路で、浸水を検出した場合に閉動作を確実に防ぐことができる。
【００５１】
また、本実施形態のパワーウインドウ装置１００では、浸水センサ３の一方の浸水検出電極３ａと接地端子１４との間に第３の抵抗Ｒ３が接続されるように構成した。
【００５２】
これにより、第３の抵抗Ｒ３の値を選択するによって、第１のトランジスタＴＲ１及び第２のトランジスタＴＲ２の動作点を簡単に設定することができるので、想定される浸水状態の場合に閉動作を防ぐように動作点を設定することができる。
【００５３】
以上のように、本発明の実施形態に係るパワーウインドウ装置１００を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５４】
（１）本実施形態において、第１のトランジスタＴＲ１がＰＮＰ型のトランジスタであり、第２のトランジスタＴＲ２がＮＰＮ型のトランジスタで構成された例を示して説明を行った。しかしながら、これらの素子は、制御信号によってスイッチ動作をするものであれば良く、適用するパワーウインドウ装置に合わせて極性が異なるトランジスタや電界効果トランジスタに等に変更して実施しても良い。この場合、使用する素子に合わせて回路や制御信号の極性を変更することで同様の動作及び効果をえることができる。
【００５５】
（２）本実施形態において、閉操作スイッチ１と開操作スイッチ２とを有している例を示して説明を行ったが、これら以外の操作スイッチが追加されて構成されても良い。また、閉操作スイッチと開操作スイッチが一体的に構成されている一体型のスイッチに変形して実施しても良い。
【符号の説明】
【００５６】
１      閉操作スイッチ
２      開操作スイッチ
３      浸水センサ
３ａ    浸水検出電極
４      第１のスイッチ素子
５      第２のスイッチ素子
１０    スイッチ部
１１    接続端子
１２    接続端子
１３    電源端子
１４    接地端子
２０    ＥＣＵ部
２１    制御部
２２    駆動部
２３    モータ
２４    ＥＣＵ接続端子
２６    ＥＣＵ電源端子
２７    ＥＣＵ接地端子
３０    ワイヤハーネス
１００  パワーウインドウ装置
Ｒ１    第１の抵抗
Ｒ２    第２の抵抗
Ｒ３    第３の抵抗
ＴＲ１  第１のトランジスタ
ＴＲ２  第２のトランジスタ
【図１】
2015067059.tif 000003
【図２】
2015067059.tif 000004
【図３】
2015067059.tif 000005
【図４】
2015067059.tif 000006
【図５】
2015067059.tif 000007